Podtech/llm-jp-corpus-v4-ja_patent huggingface dataset:
(57)【要約】【課題】  夏場、湿度の高い時、素足でサンダルを履くと、足の裏が、ベタッとすることがある。また、凹凸のある健康サンダルを、常時履くには、足の裏が痛い。【解決するための手段】  一般に市販されている健康サンダルとは違い、このサンダルは、縦の長さが１ｃｍ程度、横の長さが、その箇所の、足の幅程度の長さ、高さ５ｍｍ程度の、丘のような、上の面が平面の凸の部分と、７ｍｍ程度の幅の、低い平面の部分とが、交互にあるようにする。上の平面と縦の面が交わる部分は、足の裏があたると痛いので、角をとり、滑らかにする。凸の部分の両サイドは、段々と低くして、端は、凹の部分と同し高さにする。凸の部分の縦、横、高さ、凹の部分の幅は、必要によって変える。足先の、バンドの布製等の部分を、マジックテープ等を用いて、掃除しやすいよう、開閉できるようにする。足の裏があたる面の材質は、ゴムかプラスティックを等を使う。【選択図】  図１
2006034924.tif 000002
【特許請求の範囲】
【請求項１】
足の裏にあたる面が平たい面でなく、凹凸のある立体的構造からなるサンダル。一般に売られている健康サンダルのように、山のようなたくさんの凸の部分と、それよりも一段低い凹のような、凹凸ではなく、縦の長さが１ｃｍ程度、横の長さが、その箇所の、足の幅程度の長さ、高さ５ｍｍ程度の、丘のような凸の部分と、７ｍｍ程度の幅の一段低い平たい部分とが交互にある、凹凸のあるつっかけを考えた。丘のような上の面は、平面にする。上の平面と縦の面が交わる部分は、足の裏があたると痛いので、角をとり、滑らかになるように、製造する。凸の部分の両サイドは、段々となだらかに低くして、端のほうは、一段低い平たい部分と同じ高さにする。なお、凸の部分の縦、横、高さ、平たい部分の幅は、必要によって変える。
【請求項２】
請求項１のサンダルのつま先周辺は、掃除しやすくするため、足先の、バンドの布製等の部分を、マジックテープ等を用いて、閉じたり、開けたりすることができるような作りにする。
【発明の詳細な説明】
【技術分野】
【０００１】サンダルやつっかけに関する
【技術背景】
【０００２】  一般に売られている健康サンダルは、足の裏にあたる面が、山のようなたくさんの凸の部分と、それよりも一段低い凹のような、凹凸がある。このサンダルは、丘のような、上の面が、平たい凸の部分と、一段低い平たい部分凹からなる、そういう凹凸の繰り返しのあるサンダルである。凹凸があっても、上の面が平面である凸状のでっぱりを持ったサンダルは市販されていないようである。
【課題】
【０００３】  夏場、湿度の高い時、素足でサンダルを履くと、足の裏と、サンダルが、ベタッとくっついた感じがして、気持ちの悪い時がある。また、凹凸のある健康サンダルは、常時履くには、足の裏が痛い。
【問題を解決するための手段】
【０００４】一般に売られている健康サンダルのように、山のようなたくさんの凸の部分と、それよりも一段低い凹のような、凹凸ではなく、縦の長さが１ｃｍ程度、横の長さが、その箇所の、足の幅程度の長さ、高さ５ｍｍ程度の、丘のような凸の部分と、７ｍｍ程度の幅の一段低い平たい部分とが交互にある、凹凸のあるサンダルを考えた。丘のような上の面は、平面にする。上の平面と縦の面が交わる部分は、足の裏があたると痛いので、角をとり、滑らかになるように、製造する。凸の部分の両サイドは、段々と低くして、端のほうは、一段低い平たい部分と同じ高さにする。なお、凸の部分の縦、横、高さ、平たい部分の幅は、必要によって変える。
【０００５】  サンダルのつま先周辺を掃除しやすくするため、足先の、バンドの布製等の部分を、マジックテープ等を用いて、閉じたり、開けたりすることができるような作りにする。
【０００６】  足の裏があたる面の材質は、ゴムかプラスティック等を使う。
【効果】
【０００７】  このサンダルは、足の裏があたる面が平面のサンダルより、空気が良く当たり、涼しい。
【０００８】  このサンダルは、丘のような上の面は、平面なので、従来の健康サンダルに比べ、刺激が弱く、日常的に使いやすい。
【図面の簡単な説明】
【０００９】
【図１】サンダルとサンダル底
【図２】サンダルのバンドを開いた図、その１
【図３】サンダルのバンドを開いた図、その２
【図４】サンダルのバンドを開いた図、その３
【図５】足の裏があたる状態を横から見た図
【図６】サンダルを履いたようすの断面図
【符号の説明】
【００１０】  １  丘のような部分
２  丘のような部分の、上の平面
３  丘のような部分の、縦の面
４  一段低い平たい部分
５  サンダルバンド
６  マジックテープ
７  角を取って滑らかな、上の平面と、縦の面が、交わる箇所
８  空気の通り道
９  足の断面図
【図１】
2006034924.tif 000003
【図２】
2006034924.tif 000004
【図３】
2006034924.tif 000005
【図４】
2006034924.tif 000006
【図５】
2006034924.tif 000007
【図６】
2006034924.tif 000008
(57)【要約】      （修正有）【課題】  従来は長時間椅子に座った勉強、作業又は車両を運転する場合、普通の座布団を敷くかあるいは何も敷かずに直接座りますが、椅子と接する部分の背中、臀部、大腿部がべったりと言う感じで接触します。その際上半身の体重負荷により通気が遮断され、その部分の温度が上昇すると共に多量発汗する、特に長時間車両運転の場合ズボンの尻部等が高温多湿の状態で蒸れてしまう難点があった、【解決手段】クッション基盤全体に多数の突起物をつける、突起物には形状、大小、高低などさまざま有るが体重の負荷を分散させるため多数の突起物を設け、座ったときに身体と基盤に間隙を作り通気性を確保し発汗を抑制する、突起物によってべったりと接していた圧迫面が突起物先端だけの点に変化することで体重負荷が分散される為血流がよくなり、痺れることも減少した。本発明はこれらを解決するために最適と思える形状の突起物を使用した。【選択図】図６
2006034921.tif 000002
【特許請求の範囲】
【請求項１】
合成樹脂材にて基盤と一体にて成形された外形寸法の均一な突起を所定間隔にてマット本体表面に多数設けたことを特徴とするクッションマットである
【請求項２】
マット本体は座席の座部と背もたれ部との少なくともどれかにあてがわれることを特徴とする請求項１に記載のクッションマットである
【請求項３】
マット本体は車両等の座席に使用する場合は座部と背もたれ部との両方にあてがわれ図６のように該マット本体は相互に５連結部品を介して一体化して図６カークッションマットとして使用されることを特徴とする請求項１に記載のクッションマットである
【発明の詳細な説明】
【技術分野】
【０００１】本発明は臀部に敷く部分からなる突起付クッションマットに関する。
【背景技術】
【０００２】従来のクッションマットとしては座布団であり，羊毛，布、合成皮革などの柔軟性を有する表面材によりウレタンゴムや綿などいろいろな緩衝材を覆った物で形成されたクッションである、また籐などで編んだクッションなども有るが、多少の差はあっても通気性の遮断、接点の温度上昇、多量発汗、血流の悪化などの欠点があることは否めない。
【発明の開示】
【発明が解決しようとする課題】
【０００３】長時間椅子に座って勉強や作業をする場合又は座席に座って車両を運転する場合、クッション等をしないでそのまま座るかあるいは従来のクッションを使用するかであるが、いずれの場合も背中、臀部、大腿部など身体の一部と座部がべったりと面の状態で接し、上半身の体重負荷の為通気が遮断され、その部分の温度が上昇すると共に多量発汗する、特に夏季において長時間車両運転の場合ズボンの尻部等が高温多湿の状態でむれ、汗で濡れた下着が臀部の肌に密着してしまうこともあり、ひどい場合は微異臭さえ放つほどである、【０００４】上半身の重量で臀部大腿部は圧迫されそれが原因で血流の悪化による痺れをもようすこともある、本発明はこれらの課題を解消する為になされたものである
【課題を解決する為の手段】
【０００５】合成樹脂材にて図１の１基盤と一体にて成形された外形寸法の均一な図１の２突起物を所定間隔にマット本体表面に多数設ける、突起物には形状、大小、高低などさまざま有るが座ったときに座部と身体とに間隙を作り通気性を確保し体重負荷を分散させ、圧迫面積を面から突起物先端だけの点に減少させ体温上昇や発汗等を抑制し快適な勉強、事務、作業や車両運転が出来るようにしたものである。又時々座った部分を移動させることで指圧効果があるように最適と思える形状の突起物で突起付クッションマットを構成している
【発明の効果】
【０００６】マット本体表面に多数の突起物を設けることで座部と身体の間に間隙が出来、通気性が確保されることによって体温の上昇が抑制され、発汗が減少し蒸れるという状況が改善され微異臭もしなくなる
【０００７】従来、座部と接する身体部位がべったりと面の状態で接していたものに体重負荷が加わり血管が圧迫され、血流が悪くなり痺れることがあった、しかし圧迫面が多数の突起物の先端だけの点に変わり体重負荷が分散されるため、痺れなくなり快適な勉強、事務、作業、車両運転が出来るようになるという効果を発揮するものである、又時々臀部をずらすことで指圧効果も得ることが出来る。
【発明を実施するための最良の形態】
【０００８】以下、本発明の実施の形態を図１〜図７に基づいて説明する【０００９】図１は本考案の第１実施例である、合成樹脂材からなる平面略正方形の平板に多数の突起物を設けた一体にて形成されたマット本体である。その大きさは一辺の長さが４１０ミリの正方形で４隅に丸みをつけたもので、１基盤に２中空になった底辺直径約１８ミリの突起物を３通気孔直径約１０ミリと交合に市松模様の如く整然と基盤全体に並べたもので基盤及び突起物の肉厚約３ミリ突起物高さ基盤上部より３０ミリすなわちクッションマットの高さは３３ミリで一体にて形成されたものである。【００１０】図５  本図は図１のクッションマットと同じようなものであるが図１が座部用に対し本図は背もたれ用として使用するクッションマットである。当該マットと接触する身体部位は皮下脂肪の少ない背中であり、体重負荷も少ないので突起物の高さは図１座部用クッションマットに比べ５ミリ低くしマットの大きさも縦長の長方形で、３５０ミリＸ５１０ミリとして使用者の利便を考える。図５−４は連結穴で図６−５の連結部品を使い図１の座部用と図５の背もたれ用を連結して図６カークッションマットとして使用するものである
【実施例】
【００１１】図６は主に自動車用として使用されるカークッションマットである．当該マットは図１座部用クッションマットと図５背もたれ用クッションマットをそれぞれに設けた計４個の４連結穴を５連結部品（皮革製ベルト）で連結し一体と成して使用する【００１２】図７は主に学童〜学生、ＯＬ〜ビジネスマン、椅子に腰掛けて作業する方々に向けた椅子用クッションマットである。本図はハート型クッションマットであるが年齢層や対象者の違いにより、デザインやカラーに変化を持たせ使用者のニーズに合わせた商品を提供して使用者の健康の一助になればと願う、突起物の形状、高さ、大きさ、数量、又通気孔の太さの設定個数や設置位置などは任意に増減変更されるものである、また１図は突起物と基盤が１体形成としたが、突起物を別部品として接着して一体化することもある。
【図面の簡単な説明】
【００１３】
【図１】  本発明の斜視図
【図２】  図１の拡大図
【図３】  本発明の上面拡大図
【図４】  本発明の断面図
【図５】  背もたれ用クッションマット斜視図
【図６】  カークッションマット斜視図
【図７】  椅子用クッションマット斜視図
【符号の説明】
【００１４】１基盤
２突起物
３通気孔
４連結穴
５連結部品
【図１】
2006034921.tif 000003
【図２】
2006034921.tif 000004
【図３】
2006034921.tif 000005
【図４】
2006034921.tif 000006
【図５】
2006034921.tif 000007
【図６】
2006034921.tif 000008
【図７】
2006034921.tif 000009
(57)【要約】【課題】家庭のリビング、オフィスの応接室、病院の病室など普段はスツール型椅子として利用しながら、何処にでも簡単かつ便利に設置できかつ保管に場所をとらないポータブルな就寝用のベッドを提供する。【解決手段】ビニール又はナイロンと同等の軽量で強度のある材料で作成した電動エアーポンプで膨らませて形成できるエアーベッドを、利用しないときは椅子として利用するスツール型の椅子に格納出来るようにすることで課題を解決した。【選択図】図１
2006034928.tif 000002
【特許請求の範囲】
【請求項１】
空気で膨らませて形成されるビニール製エアーベッド１に電動エアーポンプ２を連結し、空気を瞬時に注入・排出ができるようにしたベッドを、椅子として使用できるスツール型椅子３の内部を収納庫とした収納可能な携帯式ビニール製エアーベッド。
【発明の詳細な説明】
【技術分野】
【０００１】  この発明は、普段はスツールとして利用する椅子から取り出し瞬時に空気で膨らませて簡単にどこでも設営可能なポータブルなエアーベッドに関するものである。
【背景技術】
【０００２】  従来から、押入れや納戸などの収納スペースから取り出してきて、必要な部屋に移動させ空気を注入して設営するエアーベッドがあったが、この方式は収納庫のスペースと設置の手間が掛かり不便であった。リビングや応接室のソファーの一部として常時使用できるスツール型の椅子内部に収納し附帯した空気注入排出両用の電動エアーポンプを使用することで、必要なその場所で特別な収納スペースなしに瞬時にベッドを設置して就寝することができる。
【発明の開示】
【発明が解決しようとする課題】
【０００３】  これらには次のような欠点があった。従来のエアーベッドでは空気を抜いて収納用の袋等にいれ、別途押入れや納戸などの収納スペースに運んでしまわなくてはならない不便さがあり、またオフィスや病室ではこうした収納スペースは限られているため現状エアーベッドの利用は殆どされていない。しかし、本発明は、こうした不便さをなくすため、オフィスの応接セットや家庭のソファーセットの一部として使用しているスツール型椅子を収納庫として利用することで、就寝用ベッドとして使用しない時はスツールとして使い、使用する時は電動エアーポンプを使用して瞬時に膨らましエアーベッドとして就寝できるようにし、また使用後は電動エアーポンプで瞬時に畳んで収納し、収納庫を再びスツールとして使用できることで、これらの不便さを解決した。また、病室用として普段は面会者の椅子、夜間は介護者用ベッドとして場所をとらず使用できる。
【課題を解決するための手段】
【０００４】  ビニール又はナイロンと同等の軽量で強度のある材料で、空気で膨らませて形成できるエアーベッド１を作る。エアーベッドには電動エアーポンプ２を取り付ける。また使用後の収納庫としてスツール型椅子３を作り、このスツール型椅子３の内部に収納できるようにする。
【発明の効果】
【００５】  本発明品の基本的特徴が（１）日常使用しているスツールと（２）普段使用しないが必要がある場合に使用するエアーベッドを組み合わせ一体化させることにより、便利さと使い勝手を格段に向上させ、現在はキャンプなどのアウトドア用としか使われていないエアーベッドを家庭、オフィスや病院などで日常的に使用することが可能となる。本発明のエアーベッドは性能も向上し通常のベッドと殆ど遜色のない快適さを提供できているが、保管や設置に係る不便さがその利用を阻害している。本発明によりこれらの問題点を解決しエアーベッドの普及が図れる。
【発明を実施するための最良の形態】
【００６】  実施例１．ビニール又はナイロンと同等の軽量で強度のある材料で、空気で膨らませて形成できるエアーベッド１を作る。エアーベッドには電動エアーポンプ２を取り付ける。【００７】  実施例２．更に、使用後の収納庫としてスツール型の椅子３を作り、このスツール型椅子３の内部に、空気を排出して折りたたんだエアーベッド１を収納できるようにする。本発明は、以上のような構成よりなる携帯式エアロスツールベッドである。【００８】  以下、本発明の機能的特徴と利用の形態について説明する。普段スツールとして使っているスツール型椅子３の上部ソファー部分を上げて開き、内部から折りたたんであるエアーベッド１を取り出す。附属の電動エアーポンプ２で空気を注入しエアーベッド１を膨らます。膨らましたエアーベッド１を必要な場所に設置して、就寝のためのベッドとして利用する。利用後は同様に電動エアーポンプ２を作動させて空気を排出する。空気を排出したエアーベッド１を折りたたんでスツール型椅子３に収納し、所定の場所において椅子として利用する。通常スツールを椅子として使用する場所で、同時にエアーベッドとしても使用できるので、家庭のリビング・座敷、オフィスの応接室、病院の病室など場所を選ばず利用できる。また収納するスツールにシーツと毛布も格納すれば、寝具一式がワンセット揃う。更に、アウトドア用にキャリング・バッグも入れておけば、キャリング・バッグに入れて持出しキャンプ等のアウトドア用としても広く利用できる。
【図面の簡単な説明】
【００９】
【図１】本発明のスツールとエアーベッドの全体斜視図である
【図２】本発明に係るスツールの断面図である。
【図３】本発明に係るエアーベッドの断面図（部分）である。
【符号の説明】
【００１０】１  エアーベッド
２  電動エアーポンプ（内蔵）
３  スツール型椅子
４  電気コード
５  エアーポンプ・カバー
６  スツールのマット（蓋）
７  スツールの足
【図１】
2006034928.tif 000003
【図２】
2006034928.tif 000004
【図３】
2006034928.tif 000005
(57)【要約】【課題】  家庭用揚げ油の火の消し忘れによる小火、火災事故を防ぐため。【解決手段】  油の温度が上がり温度計の針が２００度を指すと警告ブザーが鳴り、消し忘れや温度の上昇にきずき危険を回避できる。【選択図】  図１
2006034923.tif 000002
【特許請求の範囲】
【請求項１】
家庭用揚げ油での調理後の火の消し忘れや、高温になり過ぎた時に、既に設定してある油の温度になると温度計の針が反応し温度計に備え付けた警告音が鳴って知らせてくれる警告音付き温度計。
【発明の詳細な説明】
【技術分野】
【０００１】  本発明は、家庭用揚げ油の消し忘れなどによる油の高温時を知らせる警告音付き温度計に関する。
【背景技術】
【０００２】  従来は、揚げ油の火の消し忘れによる油の高温を知らせる様な警告音機付き温度計は無かった。
【発明の開示】
【発明が解決しようとする課題】
【０００３】  家庭用揚げ油の火の消し忘れや、油温度の上昇による引火での火災事故は、火災の原因の上位にも挙がるほど多数有り、その原因の火の消し忘れや、油温度の上昇による引火を防ぐ事を目的とする。
【課題を解決するための手段】
【０００４】  本発明は上記の目的を達成するために、温度計の針２と２００度の目盛りの針止め３に電流を流し、油が２００度になる時、針と針止目が接触し、警告音４が鳴るようにし油に引火する前に気がつく事が出来る。
【発明の効果】
【０００５】  警告音が鳴る事により油の温度の上昇、火の消し忘れに気ずき事故を未然に防ぐ事が出来る。
【発明を実施するための最良の形態】
【０００６】  揚げ油用の鍋の淵に設置し、又油の量や鍋の形に合わせて設置する。
【図面の簡単な説明】
【０００７】
【図１】    本発明の正面図である。
【図２】    本発明の横面図である。
【符号の説明】
【０００８】    １  温度計
２  温度計の針
３  針止め
４  警告ブザー
【図１】
2006034923.tif 000003
【図２】
2006034923.tif 000004
(57)【要約】【課題】  ベランダの手摺りに洗濯物を干す時に、上からはさんだり、竿やハンガー等が掛けられるベランダ用ピンチを提供する。【解決手段】  ベランダ用ピンチの片側に開口部のある掛け部を設け、竿やハンガーを掛け干し場を拡張する事を特徴とする竿が掛けられるベランダ用ピンチ。【選択図】  図１
2006034926.tif 000002
【特許請求の範囲】
【請求項１】
ベランダ用ピンチに開口部のある竿掛け部を設け、竿やハンガー等が掛けられるようにし、干し場を拡張できることを特徴とする竿が掛けられるベランダ用ピンチ。
【請求項２】
竿掛け部をフック型にした請求項１の竿が掛けられるベランダ用ピンチ。
【発明の詳細な説明】
【技術分野】
【０００１】  本発明はベランダの手摺りに洗濯物を干す時に、上からはさんだり、竿やハンガー等を掛けて干し場を拡張することができる、竿が掛けられるベランダ用ピンチに関するものである。
【背景技術】
【０００２】  従来、天気が悪くて乾かない時や、家族が多いところは洗濯物が多く干し場に困り、寄せて干していた。シーツやバスタオル等は手摺りに掛けて干していた。
【発明の開示】
【発明が解決しようとする課題】
【０００３】  そのために、次のような問題点があった。
寄せて干すと乾きにくく、更に洗濯物がたまり悪循環であった。手摺りに干すと、取り込む時に下に落としたり見た目も良くなかった。
本発明は以上の問題点を解決しようとするものである。
【課題を解決するための手段】
【０００４】  手摺りをはさむピンチの片側に開口部のある竿掛け部を設ける。そして、ピンチ二個を使って竿を掛けバスタオル等を干したり、掛け部にハンガーや傘の取っ手を掛けて干すことが出来る。以上を特徴とする竿が掛けられるベランダ用ピンチである。
【発明の効果】
【０００５】  本発明は、ベランダの手摺りに干す時、シーツ等大きな物はフェンス外側に垂らして干してピンチ二個ではさみ、マット類等は掛け部に竿を通して同時に干すことが出来る。ピンチなので付けはずしが簡単で幅の調節が自在に出来る。掛け部にはハンガー等も掛けられるのでフェンスの内側と外側を活用することが出来る。したがって、干し場が多くなることで乾きも早く、洗濯物を下に落とすこともない。
【発明を実施するための最良の形態】
【０００６】  以下、本発明の実施の形態について説明する。
（イ）ベランダの手摺りをはさむピンチ本体（１）片側に開口部のある竿掛け部（２）を設ける。
本発明は以上の構成よりなっている。
本発明を使用するときは、上記のピンチ本体（１）で竿掛け部（２）を内側にして手摺りをはさむ。
竿掛け部（２）にハンガーのフックや傘の取っ手を掛ける。また、ピンチ二個を利用して幅の調節をし竿を掛け、フェンスの内側と外側に干すことが出来る。
この結果洗濯物が多い日も干し場に困ることがなく、広げて干すので乾きも早い。
【図面の簡単な説明】
【０００７】
【図１】本発明の斜視図
【図２】本発明の使用状態を示す斜視図
【符号の説明】
【０００８】  １．  ピンチ本体
２．  竿掛け部
【図１】
2006034926.tif 000003
【図２】
2006034926.tif 000004
(57)【要約】【課題】本発明は、今自分が持っている補助貨幣を、一目で分かるための財布であり、補助貨幣を管理し又、離脱可能に設けられた物を提供する。【手段】固定ケ−ス（１）に補助貨幣５００円玉（２）が１枚・１００円玉（３）が４枚・５０円玉（４）が１枚・１０円玉（５）が４枚・５円玉（６）が１枚・１円玉（７）が４枚を、最大としソフトケース（８）の中に入れ離脱可能に設ける。  本発明は、以上の構成より、今持っている補助貨幣を管理し利用する事が出来る小銭入れである。【選択図】図１。
2006034927.tif 000002
【特許請求の範囲】
【請求項１】
小銭入れの中には、５００円玉１枚・１００円玉が４枚・５０円玉が１枚・１０円玉が４枚・５円玉が１枚・１円玉が４枚、以上の補助貨幣が、最大で入る財布。
【請求項２】
補助貨幣を、離脱可能に設けられ、請求項１の補助貨幣を、管理し利用可能にする事が出来る財布。
【請求項３】
補助貨幣を何枚持っているか、何円持っているか、一目で分かる財布。
【発明の詳細な説明】
【発明の詳細な説明】
【技術分野】
【０００１】  本発明は、今持っている補助貨幣を入れる為の財布であって、補助貨幣を、管理し利用できる財布に関するものである。
【背景技術】
【０００２】  従来は、色々な補助貨幣が一緒に１つの小銭入れの中に入っている財布です。補助貨幣を利用する時、一目で分からない物です。
【発明を解決しようとする課題】
【０００３】  今日、私達は色々な所で買い物をする時、次のような問題点があります。紙幣はいくら持っているかは分かりますが、コインは一目でいくら持っているか分かりません。いちいち小銭入れから全部出して、確認して買い物をします。以上の問題点を解決し、コインを管理し利用出来る様にしたものです。
本発明は、これらの問題点を解決するためになされたものです。
【課題を解決するための手段】
【０００４】  固定ケ−ス（１）に補助貨幣５００円玉（２）が１枚・１００円玉（３）が４枚・５０円玉（４）が１枚・１０円玉（５）が４枚・５円玉（６）が１枚・１円玉（７）が４枚を、最大としソフトケース（８）の中に入れ離脱可能に設ける。
本発明は、以上の構成より、今持っている補助貨幣を管理し利用する事が出来る小銭入れである。
【発明を実施するための最良の形態】
【０００５】  以下、本発明の実施の形態を説明する。
（イ）固定ケ−ス（１）は、塩化ビニ−ル又はプラスチック等の、軽い物を使用する。
（ロ）固定ケ−ス（１）は、補助貨幣５００円玉（２）が１個分・１００円玉（３）が４個分・５０円玉（４）が１個分・１０円玉（５）が４個分・５円玉（６）が１個分・１円玉（７）が４個分、入るように溝を設ける。
（ハ）固定ケ−ス（１）は、補助貨幣を離脱可能に出来るように設ける。
（ニ）固定ケ−ス（１）は、〔図４〕の様に、ソフトケ−ス（８）に入れてもちいる。
（ホ）ソフトケ−ス（８）は、固定ケ−ス（１）を、チャック又は、トメ金等で、しまえる様に設ける。
本発明は、以上の構成よりなる。
本発明を使用する場合は、今自分の持っている補助貨幣が、いくらあるか一目で的確に把握する事が出来る。
【発明の効果】
【０００６】  本発明を使用する毎に、今自分で持っている補助貨幣が、いくらあるか一目で把握ができ、買い物をする時に的確に補助貨幣を、使用する事ができる。
【図面の簡単な説明】
【図１】本発明の斜視図
【図２】本発明の側面図
【図３】本発明の上から見た図
【図４】本発明をソフトケ−スに入れ、チャック又はトメ金等で、包んでいる図
【符号の説明】
（１）コインを固定するケ−ス。（２）５００円が入るスペ−ス。
（３）１００円が入るスペ−ス。（４）５０円が入るスペ−ス。
（５）１０円が入るスペ−ス。  （６）５円が入るスペ−ス。
（７）１円が入るスペ−ス。    （８）ソフトケ−ス。
【図１】
2006034927.tif 000003
【図２】
2006034927.tif 000004
【図３】
2006034927.tif 000005
【図４】
2006034927.tif 000006
(57)【要約】【課題】ゴルフ練習時に打球方向を正確に定められる人工芝マットを提供する。【解決手段】ゴルフ練習用人工芝マットの一部を円形とし、円形の中心にゴムティを通す穴を設け、穴の位置で直角に交差する十字の直線を描き、円形部分を回すことにより、その直線を打球方向に自由に向けることが出来るゴルフ練習用人工芝マット。【選択図】図１
2006034933.tif 000002
【特許請求の範囲】
【請求項１】
ゴルフ練習用人工芝マットの一部を円形のマットとし、その中心部分にゴムティを通すための穴を設け、穴の位置で直角に交差する十字の直線を描き、その円形のマット部分が３６０度回転出来るゴルフ練習用人工芝マット。
【発明の詳細な説明】
【技術分野】
【０００１】  本発明は、ゴルフ練習時打球方向を正確に示す道具である。
【背景技術】
【０００２】  従来、ゴルフ練習用人工芝マット中央部に直線が描かれているものがあった。
【発明の開示】
【発明が解決しようとする課題】
【０００３】  それには次のような問題点があった。
（イ）自分の求める打球方向を自由に定めることが難しかった。
（ロ）打球方向と直角にクラブヘッドを構えることが難しかった。
本発明は、この問題点を解決するためになされたものである。
【課題を解決するための手段】
【０００４】  ゴルフ練習用人工芝マットの一部を円形のマットとし、その中心部にゴムティを通すための穴を設け、円形部分を可動とし、円形部分に円の中心を通る直角の十字線を描いた。以上を特徴とする、ゴルフ練習用人工芝可動円形マットである。
【発明の効果】
【０００５】  この円形部分を動かすことにより自分の求める打球方向を正確に定めることが出来ると同時に、打球方向と直角に描かれた線にクラブヘッドを合わせ、又、打球方向の後方線上にクラブヘッドをテイクバックすることにより、より一層打球の方向性が良くなる。
【発明を実施するための最良の形態】
【０００６】  以下、本発明の実施の形態について説明する。
（イ）人工芝可動円形マット（１）の中心部にゴムティ（６）を通すための穴（５）を設ける。
（ロ）人工芝可動円形マット（１）に円の中心を通る直角に交差した十字の直線（４）を描く。
（ハ）人工芝可動円形マット（１）のゴムティ用穴（５）を中心として自由に円形マット（１）部分を動かすことができ、十字直線（４）で打球方向を自由に設定できる。
（ニ）上記マットに描かれた十字の直線（４）は直角に交差しているため、打球方向を定めることにより、直角に交差した線にクラブヘッドも合わせることになり、打球方向に対して直角にクラブを構えることができ、又クラブヘッドを打球方向線上に正しく引くことが出来る。
本発明は以上のような構成で、これを使用することにより、漫然とボールを打つことなく、打球方向を定め、クラブヘッドを打球方向に正しく向けることが出来、テイクバックの際、打球方向線上にクラブヘッドを引くことにより、打球の方向性が良くなる。
【図面の簡単な説明】
【０００７】
【図１】本発明の実施例を示す斜図
【図２】本発明の平面図
【図３】本発明の断面図
【図４】本発明の一部の詳細平面図
【図５】本発明の一部の詳細断面図
【符号の説明】
【０００８】  １．人工芝可動円形マット
２．人工芝マット
３．ゴムマット
４．十字直線
５．ゴムティ用穴
６．ゴムティ
【図１】
2006034933.tif 000003
【図２】
2006034933.tif 000004
【図３】
2006034933.tif 000005
【図４】
2006034933.tif 000006
【図５】
2006034933.tif 000007
(57)【要約】【課題】    誰でも座つたままの状態で、遠方に並べたカードを取ることができるようにする。【解決手段】    棒１の端部側面に水盤４を取り付ける。【選択図】      図１
2006034931.tif 000002
【特許請求の範囲】
【請求項１】
棒（１）の端部側面に水盤（４）を取り付けたことを特徴とするカード取り具。
【請求項２】
棒（１）は、複数の連結管（５）の継続で構成したことを特徴とする請求項１記載のカード取り具。
【請求項３】
握り棒（２）の一端に叩き板（３）を設け、その叩き板（３）に水盤（４）を取り付けたカード取り具。
【請求項４】
握り棒（２）の一端に叩き板（３）を設け、その叩き板（３）にマジツクテープＡを取り付けたカード取り具。
【発明の詳細な説明】
【発明の詳細な説明】
【技術分野】
【０００１】  本発明は、カードゲームをするとき、ゲームの場における、自分の位置から遠方に並べたカードを、誰でもが取れることができるようにしたカード取り具に関する。
【背景技術】
【０００２】  従来、カルタ、百人一首、絵札等のカードに関し、並べたカードは手で取るのが普通であるが、用具を用いて取ることは、いまだかつてなかつた。
【発明が解決しようとする課題】
【０００３】  従来、カードゲームをするとき、場にカードを並べ、その周りに取り手が座り、読み手が読んだものと関係のある、場に並べたカードをいち早く取るようにしてゲームを進めている。自分の場所から遠方に並べているカードが読まれた場合は、そのカードの方向へ身体を投げ出して取るようにしている。しかし、身体の不自由な人や車椅子利用者は、身体を投げ出すことができないため、遠方に並べているカードを取りづらいという問題点があつた。
【０００４】  本発明は、自分の場所から遠方に並べてあるカードを、身体を投げ出さなくても、座つた状態で誰でも、カードを取ることができるようにしたカード取り具を得ることを目的としている。
【課題を解決するための手段】
【０００５】  上記目的を達成するために、請求項１のカード取り具においては、棒の端部側面に水盤を取り付けたものである。棒は管状プラスチツク材であるが、板状にしてもよい。水盤を取り付ける方法は、棒の端部側面に取り付け穴を穿設して、水盤の脚をその穴に圧入するとよい。
【０００６】  請求項２のものにおいては、棒は複数の連結管の継続で構成したものである。カードを並べた場が広い場合は、連結管を増やして、棒を長くして使用するとよい。また、棒を分解すると収納が効果的である。
【０００７】  請求項３のものにおいては、握り棒の一端に叩き板を設け、その叩き板に水盤を取り付けたものである。水盤は叩き板の長手方向中心線上に取り付けるとよい。
【０００８】  請求項４のものにおいては、握り棒の一端に叩き板を設け、その叩き板にマジツクテープＡを取り付けたものである。使用するカード全部にマジツクテープＢを取り付けるとよい。
【０００９】  本発明に係わるカード取り具は、次のように使用せる。水盤、またはマジツクテープＡが下方を向くようにしてカード取り具の握り部を握り、カードを叩き水盤でカードを吸着してカードを取り込む。カード取り具にマジツクテープＡを取り付けているものは、マジツクテープＢを取り付けているカードを叩き、マジツクテープＡＢを接着させてカードを取り込む。
【発明を実施するための最良の形態】
【００１０】  発明の実施の形態を実施例にもとづき図面を参照して説明する。
図１、２において、１は棒を示し、棒１はプラスチツクの複数の連結管５を分解可能に継続して形成している。棒１の端部側面に取り付穴６を穿設し、その取り付穴６に水盤４の脚１０を圧入している。【００１１】  図３，４に示される実施例では、握り棒２の一端部を握り部１１とし、他端に叩き板３を設け、全体ははい叩き形状をしている。叩き板３の長手方向中心線上で端部寄りに取り付穴６を穿設し、その取り付穴６に水盤４を圧入している。【００１２】  図５，６，７に示される実施例では、叩き板３の中心部に四角形状のマジツクテープＡを粘着している。また使用するカードの中心部にマジツクテープＢを粘着している。
【発明の効果】
【００１３】  本発明は、以上説明したように構成されているので、以下に記載されるような効果を奏する。
【００１４】  長い棒の先端部にカードを吸着、またはカードを接着する水盤やマジツクテープＡを取り付けることによつて、誰もが、遠方に並べたカードを、座つたままの状態でも、カード取り具を延ばしてカードを取ることができるようになつた。
【図面の簡単な説明】
【図１】実施例１の縦断面図である。
【図２】実施例１の平面図である。
【図３】実施例２の平面図である。
【図４】実施例２の正面図である。
【図５】実施例３の平面図である。
【図６】実施例３の正面図である。
【図７】カードの平面図である。
【図８】使用状態を示す参考図である。
【符号の説明】
１  棒
２  握り棒
３  叩き板
４  水盤
５  連結管
６  取り付穴
７  マジツクテープＡ
８  マジツケテープＢ
９  カード
１０  脚
１１  握り部
【図１】
2006034931.tif 000003
【図２】
2006034931.tif 000004
【図３】
2006034931.tif 000005
【図４】
2006034931.tif 000006
【図５】
2006034931.tif 000007
【図６】
2006034931.tif 000008
【図７】
2006034931.tif 000009
【図８】
2006034931.tif 000010
(57)【要約】【課題】      マジックテープを利用したゴルフ小物用品の簡易携行具を提供する。【解決手段】  腰ベルトに通して携行できるようにした１０センチメートル四方程度の大きさのマジックテープのループ面（以下マジックベース）と、ゴルフ小物用品であるティーやマーカーなどを一部に空けられた穴に差した状態で、上記マジックベースに付着させることのできるマジックテープのフック側の小片（以下マジックチップ）からなり、同小物用品を簡単に携行できることを特徴とするゴルフ小物用品簡易携行用具。【選択図】    図１
2006034937.tif 000002
【特許請求の範囲】
【請求項１】
腰ベルトに通して携行できるようにした１０センチメートル四方程度の大きさのマジックテープのループ面シート（以下マジックベース）と、ゴルフ小物用品であるティーやマーカーなどを一部に空けられた穴に差した状態で、上記マジックベースに付着させることができるマジックテープのフック面の小片（以下マジックチップ）からなり、簡便に同小物用品が携行できることを特徴とするゴルフ小物用品簡易携行用具。
【発明の詳細な説明】
【技術分野】
【０００１】  本発明はゴルフで使用するティー、マーカー、グリーンフォークなどの小物用品を簡便に携行することができる簡易携行具に関するものである。
【背景技術】
【０００２】  ティー、マーカーやグリーンフォークなどのゴルフ小物用品はズボンのポケットに入れ携行するのが一般的であった。
【発明の開示】
【発明が解決しようとする課題】
【０００３】  そのために次のような問題点があった。
（イ）ポケット内にそれら小物品が混在するため、目的物がすっと取り出せなかった。
（ロ）特に汗をかいている時や雨天時で手がぬれている時には、なおさら取出しにくかった。
本発明は、以上の問題点を解決するためになされたものである。
【課題を解決するための手段】
【０００４】  マジックベースの上方部に腰ベルトを通すためのスリットを設ける。
一方７〜８ミリ×２センチくらいの大きさのマジックチップを多数用意し、それらにそれぞれ２〜３ミリメートル程度の穴を設ける。この穴はティー、マークやグリーンフォークなどのゴルフ小物用品を差し込むためのものである。
以上を特徴とするゴルフ小物用品簡易携行具である。
【発明の効果】
【０００５】  （イ）  マジックベースは腰位置にセットされ、かさばらないためプレーに支障はない。
（ロ）  ポケットに手を突っ込むことなく簡単に目的物をとることができる。
また目的物の使用後も簡単にその目的物をベース部に付着させることができる。
（ハ）  ティーに関しては、マジックチップをつけたままで使用する。
マジックチップをつけたままでティーをショットに使用すると、同チップがショット時の衝撃を吸収しさらにショット後ティーが空中を飛ぶ時に同チップが空気抵抗を受けることから、ティーが遠くへ飛んでいかず回収が容易となる。
（ニ）  ティー、マーカー、グリーンフォークなどはそれらが一般的な形状のものであれば、それらに特別な加工を施すことなくそのままの形状ですべて取り扱える。
【発明の実施するための最良の形態】
【０００６】以下、本発明の実施の形態について説明する。
（イ）マジックベース（１）の上方部に、腰ベルト（２）が通せる長さのスリット（３）を設ける。
（ロ）マジックチップ（４）の一部にティー（５）やマーカー（６）やグリーンフォーク（７）などが差し込める２〜３ｍｍ程度の大きさの穴（８）を設ける。
本発明は以上のような構成で、これを使用するときは、
マジックベースを腰ベルトにセットする。ティー、マーカー、グリーンフォークなどをマジックチップに差しこみ、その状態でマジックベースに付着させる。この状態で携行する。
またプレーでこれら小物類を使用する時はマジックベースからチップごとはずして使用する。
ティーやグリーンフォークはマジックチップをつけたままで使用する。
【実施例１】
【０００７】  マジックチップにマーカーを差し込んで使用する代わりに、あらかじその上面の一部にマジックテープのフック面の極小片（９）を貼り付けたマーカーを使用してもよい。取扱いが楽である。
またグリーンフォークについても同様である。
【図面の簡単な説明】
【０００８】
【図１】  本発明の実施例を示す斜視図である
【図２】  本発明のマジックチップとその実施例を示す斜視図である
【図３】  本発明の実施例１にあげたマーカー及びグリーンフォークである
【符号の説明】
【０００９】  （１）マジックベース
（２）腰ベルト
（３）スリット
（４）マジックチップ
（５）ティー
（６）マーカー
（７）グリーンフォーク
（８）２〜３ｍｍ程度の穴
（９）マジックテープフック面の極小片
【図１】
2006034937.tif 000003
【図２】
2006034937.tif 000004
【図３】
2006034937.tif 000005
(57)【要約】【課題】指、腕、足全面の治療保護のための粘着部、パッド部をもつ絆創膏を提供する。【解決手段】絆創膏本体▲１▼の両側に粘着部▲２▼とパッド部▲３▼を設け、これをらせん状に巻き上げ、患部に貼り付けることを特徴とする。【選択図】図２
2006034936.tif 000002
【特許請求の範囲】
【請求項１】
絆創膏片側に粘着部をもう一方にパッド部分を持つ絆創膏。
【発明の詳細な説明】
【発明の詳細な説明】
【技術分野】
【０００１】  この発明は、指、腕、足など前面の傷、かぶれ等、又は、衝撃からの保護のために巻きつける絆創膏に関するものである。
【背景技術】
【０００２】  従来は、パッドの大きさと、粘着方法によって、使用方法、状態が限定されていた。
【発明が解決しようとする課題】
【０００３】これには、次のような欠点があった。
（イ）パッドの大きさは、傷の大きさに見合ったものを薬局等で選ぶか、任意の大きさにカットすることで使用してきたが、多少の違いはあるものの、粘着方法に差がなく、指、腕、足等全体に及ぶ傷、かぶれ、又は衝撃から、治療保護することができなかった。
（ロ）粘着部分が傷部分にくっついてしまう場合がある。
（ハ）包帯同士が接着するものでは、日常作業に対応できない。
本発明は、これらの欠点を除くためになされたものである。
【課題を解決するための手段】
【０００４】  救急絆創膏▲１▼の両側に、粘着部▲２▼とパッド部▲３▼を設ける。その両端をななめにカットすることによって、余分に重なり合う部分を少なくし、フィット感をよくする。
【本発明の実施の形態】
【０００５】  以下、本発明の実施の形態について説明する。
絆創膏▲１▼の長編両側に、粘着部▲２▼とパッド部▲３▼を設け、その両端をななめに、男女年齢別巻きつけ長指示ラインでななめにカットする（図２）。本発明は、以上のような構造で、これを使用するときは、指先から根元に向かって（心臓から遠いところから巻き始める）、腕先から腕付け根に向かってうっ血しないように、巻き始めと終わり以外の粘着部が治療部分につかないように軽く、うずき、痺れなどを感じない程度に、らせん状に巻き上げる。
【発明の効果】
【０００６】  このように、簡単に指、腕、足などに、包帯がわりに傷を保護することができ、パッド部分を、傷治療以外のための衝撃吸収パッドに換えることによって、日常作業、スポーツなどにも利用できる。
【図面の簡単な説明】
【図１】      本発明の使用状態を示す図
【図２】      本発明の正面図
【符号の説明】
▲１▼絆創膏本体
▲２▼粘着部
▲３▼パッド部
【図１】
2006034936.tif 000003
【図２】
2006034936.tif 000004
(57)【要約】【課題】  ２つのペダル板に対するそれぞれの踏込力を表示する。【解決手段】  連結部材１１ｃの両側には、磁気センサ１８がそれぞれ設けられており、これらの磁気センサ１８の前方を通過する作動杆１２には、マグネット１９が取り付けられている。  足踏み運動の際にペダル板１３の付勢力に抗して、ペダル板１３を交互に踏む込む。磁気センサ１８はマグネット１９の通過を検知してパルスを出力し、時間当りの通過回数を求め、作動杆１２ごとの通過時間間隔の平均値を演算し、表示部２０に表示する。時間間隔は短いほど脚力が強いことを意味するので、それぞれの時間間隔の百分率により左右の脚の脚力比が簡便に分かる。【選択図】        図１
2006034688.tif 000002
【特許請求の範囲】
【請求項１】
ペダル板と作動杆から成る左右一対のペダル部の前記作動杆の前方部を、基台部に設けた支持部にそれぞれ回動可能に取り付け、前記作動杆と前記基台部との間に固定したダンパの付勢力に抗して前記左右のペダル部を交互に上下して足踏み運動する足踏み運動機において、前記基台部の左右にセンサをそれぞれ配置し、これらのセンサの作動方向を横切る前記作動杆の一部を検出し、前記センサごとに前記作動杆の通過間隔を測定し、該通過間隔を基に前記ペダル部の踏込時間間隔を対比して表示することを特徴とする足踏み運動機。
【請求項２】
前記センサは磁気式とし、前記作動杆にマグネットを取り付けた請求項１に記載の足踏み運動機。
【請求項３】
前記測定部は前記センサで得られた前記それぞれの作動杆の前記通過間隔の平均値を求める請求項１に記載の足踏み運動機。
【請求項４】
前記踏込時間間隔の表示は百分率により表示するようにした請求項１に記載の足踏み運動機。
【発明の詳細な説明】
【技術分野】
【０００１】
本発明は、室内等で使用し、足踏みにより脚力の鍛錬を行う足踏み運動機に関するものである。
【背景技術】
【０００２】
従来、この種の足踏み運動機は一般家庭において広く使用されており、左右一対のペダル部とダンパ等から構成されている。
【発明の開示】
【発明が解決しようとする課題】
【０００３】
しかしながら従来装置においては、両脚の筋力の鍛錬にはなるが、左右の脚筋力などの情報は全く得られない。
【０００４】
本発明の目的は、上述の課題を解決し、鍛錬を行うと共に両脚の筋力についての情報が得られる足踏み運動機を提供することにある。
【課題を解決するための手段】
【０００５】
上記目的を達成するための本発明に係る足踏み運動機は、ペダル板と作動杆から成る左右一対のペダル部の前記作動杆の前方部を、基台部に設けた支持部にそれぞれ回動可能に取り付け、前記作動杆と前記基台部との間に固定したダンパの付勢力に抗して前記左右のペダル部を交互に上下して足踏み運動する足踏み運動機において、前記基台部の左右にセンサをそれぞれ配置し、これらのセンサの作動方向を横切る前記作動杆の一部を検出し、前記センサごとに前記作動杆の通過間隔を測定し、該通過間隔を基に前記ペダル部の踏込時間間隔を対比して表示することを特徴とする。
【発明の効果】
【０００６】
本発明に係る足踏み運動機によれば、両脚の筋力情報を得られるので、脚筋力を補強するように効果的に鍛錬を行うことができる。
【発明を実施するための最良の形態】
【０００７】
本発明を図示の実施の形態に基づいて詳細に説明する。
図１は本実施の形態における足踏み運動機の斜視図、図２は平面図を示しており、基台１１は金属製フレームから成る前部基台１１ａ、後部基台１１ｂ、これらを連結する連結部材１１ｃ、前部基台１１ａ上に設けられ主基台１１ｄから成り、主基台１１ｄの左右両側には、軸部１１ｅが回動自在に構設されている。そして、前部基台１１ａ及び後部基台１１ｂの両端下部には台座１１ｆが取り付けられている。
【０００８】
両軸部１１ｅには、左右の作動杆１２Ｌ、１２Ｒの前端部がそれぞれ回動自在に固定され、作動杆１２Ｌ、１２Ｒ上にはペダル板１３Ｌ、１３Ｒがそれぞれ固定されている。各ペダル板１３Ｌ、１３Ｒと基台１１ａの間には、それぞれダンパ１４Ｌ、１４Ｒ及びこれらのダンパ１４Ｌ、１４Ｒをそれぞれ補強するコイルばね１５Ｌ、１５Ｒが設けられ、これらのダンパ１４Ｌ、１４Ｒ、コイルばね１５Ｌ、１５Ｒにより各ペダル板１３Ｌ、１３Ｒは上方に付勢されている。
【０００９】
棒状の連結部材１１ｃに支点を有する傾動部材１６が、両作動杆１２Ｌ、１２Ｒ間に連結されており、連結部材１１ｃ上に設けられたダイヤル１７の回転により、傾動部材１６の作動を制限し、作動杆１２Ｌ、１２Ｒに対する付勢力を可変できるようになっている。
【００１０】
連結部材１１ｃの両側には、磁気センサ１８Ｌ、１８Ｒがそれぞれ設けられており、これらの磁気センサ１８Ｌ、１８Ｒの前方を通過する作動杆１２Ｌ、１２Ｒには、磁気センサ１８Ｌ、１８Ｒに感応するマグネット１９Ｌ、１９Ｒが取り付けられ、更に主基台１１ｄ上には、センサ１８Ｌ、１８Ｒによって得られた運動量を表示する液晶から成る表示部２０が設けられている。
【００１１】
図３は電気的なブロック回路構成図であり、磁気センサ１８Ｌ、１８Ｒの出力はそれぞれ計数回路２１Ｌ、２１Ｒを介して演算部２２に接続され、演算部２２の出力は表示部２０に接続されている。
【００１２】
このように構成した足踏み運動機においては、足踏み運動の際にペダル板１３Ｌ、１３Ｒに対するダンパ１４Ｌ、１４Ｒ、コイルばね１５Ｌ、１５Ｒによる上方への付勢力に抗して、ペダル板１３Ｌ、１３Ｒを交互に踏み込む。
【００１３】
磁気センサ１８Ｌ、１８Ｒは作動杆１２Ｌ、１２Ｒのマグネット１９Ｌ、１９Ｒの通過を検知してパルスを出力し、計数回路２１Ｌ、２１Ｒによりマグネット１９Ｌ、１９Ｒの時間当りの通過回数を求め、演算部２２において作動杆１２Ｌ、１２Ｒごとの通過時間間隔の平均値を演算し、表示部２０に表示する。
【００１４】
時間間隔は短いほど脚力が強いことを意味するので、それぞれの時間間隔の百分率を、左側の作動杆１２Ｌに関しては表示部２０の右側に、右側の作動杆１２Ｒに関しては左側に対比して表示すれば、直ちに各脚の筋力の強さを百分率で確認することができる。例えば、表示部２０に４４：５６のように表示すれば、左右の脚の脚力が４４対５６であると簡便に分かる。
【００１５】
使用者はこの表示を見て、意識的に筋力の弱い方の足の踏込力を強くすることにより、左右の脚の筋力が徐々に均等となるように鍛錬できる。
【産業上の利用可能性】
【００１６】
なお、磁気センサ１８Ｌ、１８Ｒには、他の方式、例えば光電センサ、静電容量型センサ、メカニカルセンサを用い得ることは勿論である。
【図面の簡単な説明】
【００１７】
【図１】斜視図である。
【図２】平面図である。
【図３】ブロック回路構成図である。
【符号の説明】
【００１８】
１１  基台
１２Ｌ、１２Ｒ  作動杆
１３Ｌ、１３Ｒ  ペダル板
１４Ｌ、１４Ｒ  ダンパ
１５Ｌ、１５Ｒ  コイルばね
１８Ｌ、１８Ｒ  磁気センサ
１９Ｌ、１９Ｒ  マグネット
２０  表示部
２１Ｌ、２１Ｒ  計数回路
２２  演算部
【図１】
2006034688.tif 000003
【図２】
2006034688.tif 000004
【図３】
2006034688.tif 000005